(57)【要約】【課題】排水ソケット内を流れる汚物混じりの排水がスムーズに流れ排出性能を維持しつつ、上流側の洗浄水を下流側に引き込もうとする負圧を効果的に抑制することができる排水ソケット、及び、それを備えた水洗大便器を提供する。【解決手段】本発明の排水ソケットは、水洗大便器の便器本体の排水路の出口部と便器本体内の下方領域の床に設けられた床下排水管の入口部とを連結する排水ソケットであって、便器本体側接続管部材と、この便器本体側接続管部材の出口部とを接続する床下側接続管部材と、を有し、便器本体側接続管部材は、下降管路と、この下降管路と接続する屈曲管路と、この屈曲管路と接続し水平方向に延びる水平管路を備え、屈曲管路の屈曲方向側である下降管路の内周側には、下降管路の前方側の内面に沿って水平管路の流入口に向け流下する排水の流れ方向を変換する平坦状の表面を有する突起部が形成されている。【選択図】図１２
2016065412.tif 000002
【特許請求の範囲】
【請求項１】
水洗大便器の便器本体の排水路の出口部と便器本体内の下方領域の床に設けられた床下排水管の入口部とを連結する排水ソケットであって、
上記便器本体の排水路の出口部に接続される便器本体側接続管部材と、
この便器本体側接続管部材の出口部と床下排水管の入口部とを接続する床下側接続管部材と、を有し、
上記便器本体側接続管部材は、下降管路と、この下降管路と接続する屈曲管路と、この屈曲管路と接続し水平方向に延びる水平管路を備え、上記屈曲管路の屈曲方向側である上記下降管路の内周側には、下降管路の前方側の内面に沿って上記水平管路の流入口に向け流下する排水の流れ方向を変換する平坦状の表面を有する突起部が形成されていることを特徴とする排水ソケット。
【請求項２】
上記突起部において、上記表面とは反対側に形成される裏面は、上記下降管路の中央軸側の先端から内面側の基端に向けて上方に傾斜又は水平に延びて形成されていることを特徴とする請求項１記載の排水ソケット。
【請求項３】
上記突起部の表面は、上記下降管路の内面側の基端から下降管路の中央軸側の先端に向けて下方に傾斜して形成されることを特徴とする請求項１又は２記載の排水ソケット。
【請求項４】
上記突起部の表面を延ばした仮想線が上記屈曲管路の外周側の内面と交差するように、上記突起部の表面は傾斜して形成されることを特徴とする請求項３記載の排水ソケット。
【請求項５】
上記突起部の表面の上流側の上記下降管路の前方側の内面は、上記突起部の表面に向かって内側下方へと傾斜して形成していることを特徴とする請求項３又は４記載の排水ソケット。
【請求項６】
上記排水ソケットの入口部を上方からみた平面視で、上記突起部は、左右方向の中央領域に形成され、上記突起部の左右幅は、上記下降管路の流路の左右幅よりも短く形成されていることを特徴とする請求項１乃至５の何れか１項に記載の排水ソケット。
【請求項７】
請求項１乃至６の何れか１項に記載の排水ソケットを備えた水洗大便器。
【発明の詳細な説明】
【技術分野】
【０００１】
本発明は、排水ソケット、及び、それを備えた水洗大便器に係わり、特に、水洗大便器の便器本体の排水路の出口部と床下に設けられた床下排水管の入口部とを連結する排水ソケット、及び、それを備えた水洗大便器に関する。
【背景技術】
【０００２】
従来から、水洗大便器の種類の中で、サイホン作用を生じさせない便器として、洗い落し式便器が知られている（例えば、特許文献１参照）。
このような従来の洗い落し式便器は、サイホン作用を生じさせて便器を洗浄するサイホン式便器に比べて、水の落差による流水作用で汚物を押し流す方式で構造がシンプルであり、かつ安価であることに加えて、サイホン作用を生じさせないため、便器洗浄に用いられる洗浄水の量が少なくて済むという利点を有する。したがって、従来から便器に要請されている洗浄水の節水のニーズにも合致したものとなっている。
【０００３】
これらの利点を有する洗い落し式便器は、例えば、マンションや一戸建て住宅、店舗、その他の施設のトイレ室内のリフォームに対する低コスト化やトイレの節水化の要請に応え得る便器として多く採用されるようになっている。
しかしながら、トイレ室内において洗い落し式便器を用いたリフォームを行う際、洗い落し式便器本体の排水路の出口部とトイレ室の床下の排水管の入口部との相対位置がトイレ室内の便器の設置スペースによって制約されるため、リフォームに採用する洗い落し式便器本体の排水路の出口部の配置を変更するような便器の設計変更を行ったり、トイレ室床下の排水管の配置を変更したりするような配管工事を行ったりしなければならず、これらのリフォームに関する作業は非常に手間やコストがかかるという問題があった。
【０００４】
そこで、上述した特許文献１に記載されている従来の洗い落し式便器は、洗い落し式便器本体の排水路の出口部とトイレ室内の床下に設けられた床下排水管の入口部とを連結するリフォーム用の排水ソケットを採用することにより、トイレ室内のリフォームを行う際に、便器本体の設計変更を行ったり、床下排水管の配置を変更することなく、便器の取り換えを容易に行うことができるようになっている。  
しかしながら、上述した特許文献１に記載されている従来の洗い落し式便器に関するリフォーム用の排水ソケットは、洗い落し式便器本体の排水路の出口部と床下排水管の入口部との間の限られた狭いスペースに配置され、洗い落し式便器本体の排水路の出口部と床下排水管の入口部とを接続する排水ソケットの管路を上流側と下流側とでほぼ直角に屈曲させた構造となっている。したがって、排水ソケットの管路から床下排水管に排水される際、排水ソケットのほぼ直角に屈曲した管路内で排水が満水になると、この屈曲した管路内で上流側の排水を下流側へ引き込もうとする負圧によるサイホン作用が発生し、この排水ソケットの管路内で発生したサイホン作用により、洗い落し式便器本体の溜水が下流側に引き込まれて溜水不足や封水切れを招く可能性があるという問題がある。   
【０００５】
このような排水ソケットの管路内のサイホン作用を抑制する対策として、特許文献１に記載されている従来の洗い落し式便器では、床下排水管の入口部とを接続する側の排水ソケットの直角に屈曲している部分に、管路内で発生する上流側の排水を下流側に引き込もうとする負圧を抑制する負圧抑制手段が形成されている。
【０００６】
一方、例えば、特許文献２に示されているように、戸建住宅やマンション等の建物に配備されるトイレや浴室等の排水用の配管構造において、排水が配管の曲管部内の一部の空間を閉塞して密封領域を作り、この密封領域が排水に引っ張られて負圧状態になり、上流側のトラップ内の封水を下流に引き込み封水を破ってしまう。この対策として、この曲管部の上方には、排水の鉛直下方への流下を規制し、流れを方向付けする整流面を有する旋回羽根が所定のピッチで螺旋状に設けられている。これにより、曲管部の曲がり方向側の内周面側に沿って流下した排水を、螺旋羽根の整流面で受け、この整流面の形状に沿った流れとなるように流路を変更させ、密封領域が形成され負圧状態となることを抑制している。
【先行技術文献】
【特許文献】
【０００７】
【特許文献１】特開２０１１−１７９１８７号公報
【特許文献２】特開２０１４−８８７５４号公報
【発明の概要】
【発明が解決しようとする課題】
【０００８】
しかしながら、特許文献１に記載されている、洗い落し式便器本体の排水路の出口部と床下排水管の入口部とを接続する排水ソケットにおいては、便器本体の排水路の出口部と接続する側の排水ソケットの直角に屈曲している部分において、屈曲している部分の曲がり方向の内周側に沿って流下した排水が、その下流側の流出口を閉塞して密封領域を作り、この密封領域が排水に引っ張られて負圧状態になりサイホン作用が発生し、洗い落し式便器本体の溜水が下流側に引き込まれて溜水不足や封水切れを招く可能性があるという問題がある。さらに、サイホン作用の必要のない洗い落し式便器においては、排水ソケット内でサイホン作用が発生すると排水がスムーズに流れることが阻害され排出性能が低下するという問題がある。
一方、特許文献２に記載されている螺旋羽根ように整流面の形状に沿った流れとなるように流路を変更されることも考えられるが、ある程度大きな整流面が必要となり、排水ソケット内に設けると、抵抗となり汚物混じりの排水がスムーズに流れずに排出性能が低下するといった問題がある。
【０００９】
特に、ジェットポンプ機構等を用いた洗い落し式水洗大便器においては、便器本体の排水路の出口部から排出される洗浄水量が比較的大流量となるので、顕著に上述した問題が発生する。
【００１０】
また、このような排水ソケットの管路内のサイホン作用を抑制する対策として、排水ソケットのほぼ直角に屈曲した管路自体の寸法を大きく設計することにより、ほぼ直角に屈曲した管路内が満水になることを防ぐことが考えられるが、下流側のほぼ直角に屈曲した管路は床下排水管に接続されており、床下排水管の管路寸法が規定されているために、大きくすることができない。さらに、排水ソケットの屈曲した管路の下流側に接続される床下排水管の管路の寸法をより大きく設計し、排水ソケットの管路内の排水を床下排水管に流出させやすくすることにより、排水ソケットの管路内を満水にさせにくく、サイホン作用を発生させにくくすることも考えられるが、床下排水管の管路寸法は、配管の施工基準等によっても厳しく制約されているため、床下排水管の寸法等については、リフォームの内容に応じて適宜設計変更することもできない。
【００１１】
そこで、本発明は、洗い落し式便器本体の排水路の出口部と床下排水管の入口部とを接続する排水ソケットにおいて、排水ソケット内を流れる汚物混じりの排水がスムーズに流れ排出性能を維持しつつ、上流側の洗浄水を下流側に引き込もうとする負圧を効果的に抑制することができる排水ソケット、及び、それを備えた水洗大便器を提供することを目的としている。
【課題を解決するための手段】
【００１２】
上述した目的を達成するために、本発明の排水ソケットは、水洗大便器の便器本体の排水路の出口部と便器本体内の下方領域の床に設けられた床下排水管の入口部とを連結する排水ソケットであって、便器本体の排水路の出口部に接続される便器本体側接続管部材と、この便器本体側接続管部材の出口部と床下排水管の入口部とを接続する床下側接続管部材と、を有し、便器本体側接続管部材は、下降管路と、この下降管路と接続する屈曲管路と、この屈曲管路と接続し水平方向に延びる水平管路を備え、上記屈曲管路の屈曲方向側である下降管路の内周側には、下降管路の前方側の内面に沿って水平管路の流入口に向け流下する排水の流れ方向を変換する平坦状の表面を有する突起部が形成されていることを特徴とする排水ソケット。
このように構成された本発明においては、下降管路の前方側の内面に沿って水平管路の流入口に向け流下する排水が平坦状の表面を有する突起部により水平管路の流入口外へと流れ方向が変換されるために、水平管路の流入口に水膜が形成され密封領域が生じることを防ぐことができる。よって、上流側の洗浄水を下流側に引き込もうとする負圧を効果的に抑制することができる。
【００１３】
本発明の排水ソケットにおいて、好ましくは、突起部において、表面とは反対側に形成される裏面は、下降管路の中央軸側の先端から内面側の基端に向けて上方に傾斜又は水平に延びて形成されている。
このように構成された本発明においては、突起部の裏面とその下流側の下降管路の内面が鋭角又は直角で接続しているために、突起部により流れ方向が変換された排水が、その後、突起部の裏面を伝い、下降管路の内面に沿って水平管路の流入口へと流れることを抑制することができ、水平管路の流入口に水膜が形成され密封領域が生じることを防ぐことができる。よって、上流側の洗浄水を下流側に引き込もうとする負圧を効果的に抑制することができる。
【００１４】
本発明の排水ソケットにおいて、好ましくは、突起部の表面は、下降管路の内面側の基端から下降管路の中央軸側の先端に向けて下方に傾斜して形成される。
このように構成された本発明においては、下降管路の内面に沿って水平管路の流入口に向け流下する排水が下方へ傾斜した突起部により、排水ソケット内の排水の流れに急激な圧損を与えることなく、水平管路の流入口外へと流れ方向が変換されるために、水平管路の流入口に水膜が形成され密封領域が生じることを防ぐことができる。よって、排水ソケット内を流れる汚物混じりの排水がスムーズに流れ排出性能を維持しつつ、上流側の洗浄水を下流側に引き込もうとする負圧を効果的に抑制することができる。
【００１５】
本発明の排水ソケットにおいて、好ましくは、突起部の表面を延ばした仮想線が屈曲管路の外周側の内面と交差するように、突起部の表面は傾斜して形成される。
このように構成された本発明においては、下降管路の内面に沿って水平管路の流入口に向け流下する排水が、屈曲管路の外周側の内面へ傾斜した突起部により、屈曲管路の外周側の内面へと流れ方向が変換され、その後、屈曲管路の外周側の内面に衝突した排水は、水平管路の流入口外へと跳ね上がるために水膜が形成され密封領域が生じることを防ぐことができる。よって、排水ソケット内を流れる汚物混じりの排水がスムーズに流れ排出性能を維持しつつ、上流側の洗浄水を下流側に引き込もうとする負圧を効果的に抑制することができる。
【００１６】
本発明の排水ソケットにおいて、好ましくは、突起部の表面の上流側の下降管路の前方側の内面は、突起部の表面に向かって内側下方へと傾斜して形成している。
このように構成された本発明においては、突起部の表面とその上流側の下降管路の内面とが、比較的に滑らかに接続しているために、排水ソケット内の排水の流れに急激な圧損を与えることなく、水平管路の流入口外へと流れ方向が変換されるために、水平管路の流入口に水膜が形成され密封領域が生じることを防ぐことができる。よって、排水ソケット内を流れる汚物混じりの排水がスムーズに流れ排出性能を維持しつつ、上流側の洗浄水を下流側に引き込もうとする負圧を効果的に抑制することができる。
【００１７】
本発明の排水ソケットにおいて、好ましくは、排水ソケットの入口部を上方からみた平面視で、突起部は、左右方向の中央領域に形成され、突起部の左右幅は、下降管路の流路の左右幅よりも短く形成されている。
このように構成された本発明においては、突起部は、左右方向の中央領域に形成されているために、突起部の両サイドは従来通り排水が流れ、排出性能を維持しつつ、上流側の洗浄水を下流側に引き込もうとする負圧を効果的に抑制することができる。
【００１８】
本発明において、排水ソケットを備えた水洗大便器である。
このように構成された本発明においては、排水ソケット内を流れる汚物混じりの排水がスムーズに流れ排出性能を維持しつつ、上流側の洗浄水を下流側に引き込もうとする負圧を効果的に抑制する水洗大便器を提供することができる。
【発明の効果】
【００１９】
本発明の排水ソケット、及び、それを備えた水洗大便器によれば、洗い落し式便器本体の排水路の出口部と床下排水管の入口部とを接続する排水ソケットにおいて、排水ソケット内を流れる汚物混じりの排水がスムーズに流れ排出性能を維持しつつ、上流側の洗浄水を下流側に引き込もうとする負圧を効果的に抑制することができる。
【図面の簡単な説明】
【００２０】
【図１】本発明の実施形態による水洗大便器を示す平面図である。
【図２】図１のII−II線に沿って見た断面図である。
【図３】図１のIII−III線に沿って見た断面図である。
【図４】図１のIV−IV線に沿って見た断面図である。
【図５】図１のV−V線に沿って見た断面図である。
【図６】図１のVI−VI線に沿って見た断面図である。
【図７】本発明の実施形態による水洗大便器の給水装置を示す平面図である。
【図８】図７の正面図である。
【図９】図７の給水装置を示す概略正面図である。
【図１０】図７の給水装置により供給される洗浄水の瞬間流量と時間との関係を示す線図である。
【図１１】本発明の実施形態による排水ソケットの便器本体側接続管本体を示す平面図である。
【図１２】図１１のＡ−Ａ線に沿って見た断面図と一部拡大断面図である。
【図１３】図１２のＢ−Ｂ線に沿って見た断面図である。
【発明を実施するための形態】
【００２１】
次に、添付図面を参照して、本発明の実施形態による水洗大便器を説明する。先ず、図１乃至図６により、本発明の実施形態による水洗大便器の基本構造を説明する。図１は本発明の実施形態による水洗大便器を示す平面図であり、図２は図１のII−II線に沿って見た断面図であり、図３は図１のIII−III線に沿って見た断面図であり、図４は図１のIV−IV線に沿って見た断面図であり、図５は図１のV−V線に沿って見た断面図であり、図６は図１のVI−VI線に沿って見た断面図である。
【００２２】
本発明の実施形態による水洗大便器１は、床に設置された排水管（図示せず）に後述する排水トラップ管路が接続される床排水タイプの洗落し式水洗大便器である。
図１及び図２に示すように、水洗大便器１は、便器本体２と、この便器本体２に洗浄水を供給する給水装置４を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水路１２が形成されている。
【００２３】
上述した給水装置４は、貯水タンク５及び後述するジェットポンプユニット６を備えている。なお。本発明は、貯水タンクを持たず水道から直接洗浄水が供給される直圧式水洗大便器や、フラッシュバルブにより洗浄水が供給されるタイプの水洗大便器等にも適用できる。
【００２４】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に向かってオーバーハングした形状に形成されている。
【００２５】
ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、同一方向（図１では反時計回りの方向）に旋回し、旋回流を形成するようになっている。
【００２６】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
上述した水洗大便器１においては、第１リム吐水口２４、第１通水路２８及び第２リム吐水口２６、第２通水路３０は、陶器製の便器本体２と一体に形成されているが、本実施形態による水洗大便器は、この形態に限られず、第１リム吐水口、第１通水路及び第２リム吐水口、第２通水路を便器本体とは別体のディストリビユータ等により形成するようにしても良い。
【００２７】
ここで、図３乃至図６に示すように、リム部１８の第１リム吐水口２４から第２リム吐水口２６までの領域は、その内周面２２に沿って洗浄水が流れる通水路となるように、上述したように、内側に向かってオーバーハングした形状に形成されている。
【００２８】
さらに、排水路１２は、凹部２０の底面と接続しほぼ同一径（ほぼ同一断面形状）を有し且つ後方下方へ延びる導入管路３２と、この導水管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２９】
便器本体２の排水路１２における下降路３４ｂの出口部３４ｃには、詳細は後述する排水ソケット１００が接続されている。また、この排水ソケット１００の下流側端部は、便器本体２が配置されている床Ｆの領域の下方に配置されて上下方向に延びる床下排水管（図示せず）の上端で開口している入口部に接続されている。
【００３０】
次に、図７乃至図１０により、本発明の実施形態による水洗大便器１の給水装置４について説明する。図７は本発明の実施形態による水洗大便器の給水装置を示す平面図であり、図８は図７の正面図であり、図９は図７の給水装置を示す概略正面図であり、図１０は図７の給水装置により供給される洗浄水の瞬間流量と時間との関係を示す線図である。なお、図９において、便宜上、ジェットノズル及びスロート管の配置が図７及び図８に示されたものと異なる配置に描かれている。
【００３１】
水洗大便器１の給水装置４は、貯水タンク５と、この貯水タンク５に洗浄水を供給する給水管路３６と、この給水管路３６に設けられた給水弁装置３８と、この給水管路３６の下流端に設けられ便器本体２に洗浄水を供給するためのジェットポンプユニット６と、使用者が手動操作により洗浄水の給水を行うための手動レバー４０を備えている。
【００３２】
給水管路３６の上流端には、外部の給水源から供給される洗浄水を止水するための止水栓４１が設けられている。この止水栓４１は、通常使用時は開状態に保持されている。
【００３３】
ジェットポンプユニット６は、逆Ｖ字形状のスロート管４２と、ジェットノズル４４とを備えている。具体的には、スロート管４２の下流端が便器本体２の共通通水路１０に連通する排水口４５に接続され、その上流端には吸引口４２ａが形成され、この吸引口４２ａが貯水タンク５内の下部に位置するようになっている。さらに、スロート管４２の吸引口４２ａに対向するように、ジェットノズル４４が配置され、スロート管４２の吸引口４２ａとジェットノズル４４は、常時、貯水タンク５内で水没した状態となっている。
【００３４】
ジェットポンプ６は、ジェットノズル４４からスロート管４２の吸引口４２ａに向けて高速の洗浄水を噴射し、このとき、ジェットノズル４４に近いスロート管４２内の吸引口４２ａ近傍の空間が負圧となり、この負圧によりジェットポンプ作用（エジェクタ効果）を誘発させることにより、貯水タンク５内の近傍の洗浄水を吸引し、この洗浄水とジェットノズル４４から噴出される洗浄水とが一緒になり、スロート管４２内を流れ、排水口４５を経て、便器本体２の共通通水路１０に供給されるようになっている。
【００３５】
給水管路３６には、上述した給水弁装置３８以外に、給水弁装置３８の上流側に定流量弁４６が、下流側に真空破壊弁４８が設けられている。この定流量弁４６は、給水弁装置３８に供給される洗浄水を定流量とするためのものであり、真空破壊弁４８は、外部から空気を吸入して真空破壊弁４８からジェットノズル４４までの管路内が負圧にならないようにするためのものである。
【００３６】
給水弁装置３８は、パイロット式ダイアフラム弁であり、主弁座５０と、この主弁座５０に着座して止水する止水状態と主弁座５０から離間して給水する給水状態とを切り換えるダイアフラム弁である主弁体５２と、その内部の圧力により主弁体５２を主弁座５０に対して移動させる圧力室５４とを備えている。圧力室５４には、圧力室５４の圧力を開放する第一穴５６及び第二穴５８と、上述した手動レバー４０における使用者の手動操作と連動して第一穴５６を開閉する第一パイロット弁６０と、貯水タンク５内の洗浄水の水位に伴い上下動するフロート６２と、このフロート６２の上下動により第二穴５８を開閉する第二パイロット弁６４が設けられている。
【００３７】
また、主弁体５２には、ブリード穴（図示せず）が設けられており、止水状態のとき、ブリード穴により給水管路３６の一次側流路Ａと圧力室５４の内部とが連通するようになっている。ここで、第一穴５６は、その開口面積が第二穴５８の開口面積よりも大きく形成されている。また、第一穴５６は、第二穴５８よりも、図９に示すように、上方位置に形成されている。
【００３８】
第一パイロット弁６０は、駆動軸６５により手動レバー４０に接続され、使用者の手動レバー４０の手動操作により、第一穴５６を開閉するようになっている。ここで、手動レバー４０は、図８において、手前側（一方向）に回動操作させた場合には大洗浄がなされ、奥側（他方向）に回動操作させた場合には小洗浄がなされるようになっている。
【００３９】
この給水弁装置３８は、通常は止水状態であり、止水状態では、第一穴５６及び第二穴５８は共に塞がれており、且つ、給水管路３６の一次側流路Ａは圧力室５４とブリード穴を通じて連通しているため、一次側流路Ａと圧力室５４の水圧は同じ水圧（＝一次側流路圧力）、また二次側流路Ｂは大気開放となり、主弁体５２に水圧が作用する面積の方が一次側流路Ａの面積よりも大であるので、主弁体５２は主弁座５０に押付けられ閉じられている。
【００４０】
給水弁装置３８において、第一穴５６及び/又は第二穴５８が第一パイロット弁６０及び/又は第二パイロット弁６４により開放されると、圧力室５４から洗浄水が流出し、圧力室５４内の圧力が低下し、主弁体５２が主弁座５０から離れるように移動し、開弁し、吐水状態となる。
【００４１】
給水弁装置３８において、第一穴５６及び第二穴５８が第一パイロット弁６０及び第二パイロット弁６４により閉じられると、再度圧力室５４の圧力が一次側流路圧力となり、主弁体５２が主弁座５０に向けて移動し、最終的に閉弁された状態（止水状態）となる。なお、このとき、一次側流路Ａの洗浄水が、圧力室５４内へブリード穴から少しずつ注入されるため、第一穴５６及び第二穴５８を塞いでから、所定時間遅れて、主弁体５２が閉弁状態（止水状態）となるようになっている。
【００４２】
次に、図９に示すように、スロート管４２の下端近傍には、ジェット吐水とタンク貯水とを切換えるための切換弁６６と、この切換弁６６に取り付けられたフロート６８が設けられている。このフロート６８は、貯水タンク５内の水位により上下動するため、水位が低くなったときは、フロート６８も下降し、それにより、切換弁６６がスロート管４２内の流路を塞ぐようになっている。スロート管４２内の流路が塞がれた状態では、ジェットノズル４４から噴射された洗浄水は、切換弁６６に衝突し、スロート管４２内を流れることなく、貯水タンク５内に流れ、貯水タンク５内に貯水される。また、所定水位に達して貯水が完了すると、フロート６８も上昇し、それにより、切換弁６６がスロート管４２内の流路を開放するようになっている。スロート管４２内の流路を開放された状態では、ジェットノズル４４から噴射された洗浄水は、スロート管４２内を流れ、便器本体２に供給されるようになっている。
【００４３】
さらに、貯水タンク５内には、大洗浄及び小洗浄に必要な洗浄水量を切り換えるための大小洗浄切換機構７０が設けられている。この大小洗浄切換機構７０は、貯水タンク５内をジェットノズル４４及びスロート管４２の吸引口４２ａを取り囲む空間と他の空間とを仕切りその上方が開放されている仕切壁７２と、この仕切壁７２に形成された開口７４と、この開口７４を開閉するために仕切壁７２に取り付けられた開閉弁７６と、を備えている。
【００４４】
大小洗浄切換機構７０の開閉弁７６は、鎖７８により駆動軸６５に接続され、小洗浄のために、使用者により手動レバー４０が他方向に回動操作された場合に、鎖７８により開閉弁７６が引き上げされ、開閉弁７６により開口７４を閉じるようになっている。
【００４５】
次に、貯水タンク５内には、便器本体２を洗浄後に便器本体２に補給水を供給するため補給水供給パイプ８２が設けられている。この補給水供給パイプ８２の下方端８２ａはスロート管４２の下流側端に連通し、上方端８２ｂには補給水供給口８４が形成されている。
【００４６】
図９に示すように、貯水タンク５内の水位ＷＬは、以下の位置となる。水位ＷＬ１は仕切壁７２の開口７４の下端位置であり大洗浄が終了したときの水位を示し、水位ＷＬ２は仕切壁７２の上端位置であり小洗浄が終了したときの水位を示し、水位ＷＬ３は水洗大便器１の使用前又は使用後の通常の水位を示し、水位ＷＬ４は大洗浄又は小洗浄後に給水弁装置３８により貯水タンク３０内に洗浄水が給水されその後給水が停止した直後（且つ洗浄水補給前）の止水状態を示す水位である。
【００４７】
図１０に示されているように、ジェットポンプユニット６を備えた給水装置４は、一定の大流量の洗浄水を所定時間継続して便器本体２へ供給することができる。具体的に言えば、給水装置４は、例えば、瞬間流量８５Ｌ／分の洗浄水を４秒間継続して便器本体２へ供給するようになっている。なお、給水装置４による瞬間流量は、約６５Ｌ/分〜約８５Ｌ/分の範囲の大流量が好ましくは、また、約３秒〜約７秒継続して供給することが好ましい。
【００４８】
次に、図２、図１１乃至図１３により、本実施形態の排水ソケット１００の構成について詳細に説明する。図１１は、本発明の実施形態による排水ソケットの便器本体側接続管本体を示す平面図である。図１２は、図１１のＡ−Ａ線に沿って見た断面図と一部拡大断面図である。図１３は、図１２のＢ−Ｂ線に沿って見た断面図である。図２に示すように、排水ソケット１００は、上流側から下流側の順に、便器本体側接続管部材１０２、及び、床下側接続管部材１０４を備えている。
【００４９】
また、排水ソケット１００の便器本体側接続管部材１０２は、上流側から下流側の順に、便器本体側接続管本体１０３、及び、管路延長用連結管１０５を備えている。さらに、排水ソケット１００の床下側接続管部材１０４は、外側ケーシング部材１０４ａ、屈曲部材１０４ｂ、及び、ベース部材１０４ｃを備えている。なお、詳細な説明は従来技術と同一であるために省略するが、屈曲部材１０４ｂの外側と外側ケーシング部材１０４ａの内側の間の通気路は、床下側接続管部材１０４の排水路内が満水となった際に排水路の上流側の排水を下流側に引き込もうとする負圧を抑制する負圧抑制手段として機能するようになっている。
【００５０】
排水ソケット１００の便器本体側接続管部材１０２の便器本体側接続管本体１０３の上方位置には、上方に向けて開口する入口部１０３ａが形成され、この便器本体側接続管本体１０３の入口部１０３ａは、便器本体２の排水路１２における下降路３４ｂの出口部３４ｃに接続されている。
【００５１】
また、便器本体側接続管本体１０３には、この入口部１０３ａから便器本体側接続本体１０３を鉛直下方に向かって所定距離延びる下降管路１０３ｂが形成され、この下降管路１０３ｂの下流端には、鉛直下方から便器本体２の前方側（図２、図１２の右方向）に向けてほぼＬ字形形状で屈曲する屈曲管路１０３ｃが一体的に接続して形成され、この屈曲管路１０３ｃの下流端には、所定長さ便器本体２の前方側へと水平方向に延びる水平管路１０３ｄが一体的に接続して形成されている。
【００５２】
便器本体側接続管本体１０３の下降管路１０３ｂの内周側（便器本体２の前方側（図２、図１２の右方向））、つまり、屈曲管路ｃが屈曲する側には、下降管路１０３ｂの中央軸に向かって突出する突起部１１０が形成されている。突起部１１０の表面１１０ａは、平坦状に形成されており、下降管路１０３ｂの前方側（屈曲管路ｃが屈曲する側）の内面１０３ｅに沿って水平管路の流入口１０３ｆに向け流下する排水の流れＷを受け止めることができるようになっており、その流れ方向を変換させることができる。
【００５３】
また、突起部１１０の裏面１１０ｂ（表面１１０ａの反対側の面）は、下降管路１０３ｂの前方側（屈曲管路ｃが屈曲する側）の内面１０３ｅと接する基端から下降管路１０３ｂの中央軸側の先端に向けて下方に傾斜又は水平に延びて形成されている。つまり、突起部１１０の裏面１１０ｂとその下流側の下降管路１０３ｂの内面１０３ｅが鋭角又は直角で接続しているために、突起部１１０により流れ方向変換された排水が、その後、突起部１１０の裏面１１０ｂを伝い、下降管路１０３ｂの前方側の内面（突起部１１０の下方側）に沿って水平管路１０３ｄの流入口１０３ｆへと流れることを抑制することができる。
【００５４】
さらに、突起部１１０の表面１１０ａは、下降管路１０３ｂの中央軸に向かって下方に傾斜しており、具体的には、表面１１０ａ上の線を傾斜方向に延ばした仮想線Ｘが屈曲管路１０３ｃの外周側の内面１０３ｇと交差（Ｙ点）するように、突起部１１０の表面１１０ａは傾斜して形成されている。
【００５５】
これにより、下降管路１０３ｂの前方側の内面１０３ｅに沿って水平管路１０３ｄの流入口１０３ｆに向け流下する排水が突起部１１０により流れ方向が変換され、屈曲管路１０３ｃの外周側の内面１０３ｇへと確実に導くことができる。その後、屈曲管路１０３ｃの外周側の内面１０３ｇに衝突した排水は、ほぼ鉛直方向に跳ね上がり、水平管路１０３ｄの流入口１０３ｆ外へと流れ、水膜が形成され密封領域が生じることを防ぐことができる。
【００５６】
下降管路１０３ｂの前方側（屈曲管路ｃが屈曲する側）の内面１０３ｅと、突起部１１０の表面１１０ａは、同じように、下降管路１０３ｂの中央軸に向かって下方へと傾斜しており、互いが滑らかに連続して接続されている。これにより、排水ソケット１００内の排水の流れに急激な圧損を与えることなく流れ方向が変換されるために、排水ソケット１００内を流れる汚物混じりの排水がスムーズに流れ排出性能を維持しつつ、上流側の洗浄水を下流側に引き込もうとする負圧を効果的に抑制することができる。
【００５７】
図１１において、平面視で、突起部１１０は、便器本体２の左右方向の中央領域に形成されている。また、左右方向の両端領域には突起部１１０は形成されていない。つまり、突起部１１０は、左右方向の中央領域に位置し、突起部１１０の左右幅Ｄ１は、下降管路１０３ｂの流路の左右幅Ｄ２よりも短く形成されている。突起部１１０の形成されている中央領域は流れ方向が変換されるが、左右方向の両端領域は従来通り排水が流れ、排出性能を維持しつつ、上流側の洗浄水を下流側に引き込もうとする負圧を効果的に抑制することができる。
【００５８】
本実施形態による排水ソケット１００は、水洗大便器１の便器本体２の排水路の出口部３４ｃと便器本体内の下方領域の床に設けられた床下排水管の入口部とを連結する排水ソケット１００であって、便器本体の排水路の出口部に接続される便器本体側接続管部材１０２、１０３と、この便器本体側接続管部材１０２、１０３の出口部と床下排水管の入口部とを接続する床下側接続管部材１０４と、を有し、便器本体側接続管部材１０２、１０３は、下降管路１０３ｂと、この下降管路１０３ｂと接続する屈曲管路１０３ｃと、この屈曲管路と接続し水平方向に延びる水平管路１０３ｄを備え、屈曲管路１０３ｃの屈曲方向側である下降管路１０３ｂの内周側には、下降管路１０３ｂの前方側の内面に沿って水平管路１０３ｄの流入口１０３ｆに向け流下する排水の流れ方向を変換する平坦状の表面１１０ａを有する突起部１１０が形成されている。
【００５９】
このように構成された本実施形態においては、下降管路１０３ｂの前方側の内面に沿って水平管路１０３ｄの流入口に向け流下する排水が平坦状の表面１１０ａを有する突起部１１０により水平管路１０３ｄの流入口外へと流れ方向が変換されるために、水平管路１０３ｄの流入口に水膜が形成され密封領域が生じることを防ぐことができる。よって、上流側の洗浄水を下流側に引き込もうとする負圧を効果的に抑制することができる。
【００６０】
また、本実施形態の排水ソケット１００において、好ましくは、突起部１１０において、表面１１０ａとは反対側に形成される裏面１１０ｂは、下降管路１０３ｂの中央軸側の先端から内面側の基端に向けて上方に傾斜又は水平に延びて形成されている。
このように構成された本実施形態においては、突起部１１０の裏面１１０ｂとその下流側の下降管路１０３ｂの内面が鋭角又は直角で接続しているために、突起部により流れ方向が変換された排水が、その後、突起部１１０の裏面１１０ｂを伝い、下降管路１０３ｂの内面１０３ｅに沿って水平管路１０３ｄの流入口１０３ｆへと流れることを抑制することができ、水平管路１０３ｄの流入口１０３ｆに水膜が形成され密封領域が生じることを防ぐことができる。よって、上流側の洗浄水を下流側に引き込もうとする負圧を効果的に抑制することができる。
【００６１】
本実施形態の排水ソケット１００において、好ましくは、突起部１１０の表面１１０ａは、下降管路１０３ｂの内面側の基端から下降管路の中央軸側の先端に向けて下方に傾斜して形成される。
このように構成された本実施形態においては、下降管路１０３ｂの内面に沿って水平管路１０３ｄの流入口１０３ｆに向け流下する排水が下方へ傾斜した突起部１１０により、排水ソケット１００内の排水の流れに急激な圧損を与えることなく、水平管路１０３ｄの流入口１０３ｆ外へと流れ方向が変換されるために、水平管路１０３ｄの流入口１０３ｆに水膜が形成され密封領域が生じることを防ぐことができる。よって、排水ソケット１００内を流れる汚物混じりの排水がスムーズに流れ排出性能を維持しつつ、上流側の洗浄水を下流側に引き込もうとする負圧を効果的に抑制することができる。
【００６２】
また、本実施形態の排水ソケット１００において、好ましくは、突起部の表面を延ばした仮想線Ｘが屈曲管路１０３ｃの外周側の内面１０３ｇと交差するように、突起部１１０の表面１１０ａは傾斜して形成される。
このように構成された本実施形態においては、下降管路１０３ｂの内面１０３ｅに沿って水平管路１０３ｄの流入口に向け流下する排水が、屈曲管路１０３ｃの外周側の内面１０３ｇへ傾斜した突起部１１０により、屈曲管路１０３ｃの外周側の内面１０３ｇへと流れ方向が変換され、その後、屈曲管路１０３ｃの外周側の内面１０３ｇに衝突した排水は、水平管路１０３ｄの流入口１０３ｆ外へと跳ね上がるために水膜が形成され密封領域が生じることを防ぐことができる。よって、排水ソケット１０３内を流れる汚物混じりの排水がスムーズに流れ排出性能を維持しつつ、上流側の洗浄水を下流側に引き込もうとする負圧を効果的に抑制することができる。
【００６３】
本実施形態の排水ソケット１００において、好ましくは、突起部の表面１１０ａの上流側の下降管路１０３ｂの前方側の内面１０３ｅは、突起部の表面１１０ａに向かって内側下方へと傾斜して形成している。
このように構成された本実施形態においては、突起部の表面１１０ａとその上流側の下降管路１０３ｂの前方側の内面１０３ｅとが、比較的に滑らかに接続しているために、排水ソケット１００内の排水の流れに急激な圧損を与えることなく、水平管路１０３ｄの流入口外へと流れ方向が変換されるために、水平管路１０３ｄの流入口に水膜が形成され密封領域が生じることを防ぐことができる。よって、排水ソケット１００内を流れる汚物混じりの排水がスムーズに流れ排出性能を維持しつつ、上流側の洗浄水を下流側に引き込もうとする負圧を効果的に抑制することができる。
【００６４】
また、本実施形態の排水ソケット１００において、好ましくは、排水ソケット１００の入口部１０３ａを上方からみた平面視で、突起部１１０は、左右方向の中央領域Ｃに形成され、突起部１１０の左右幅Ｄ１は、下降管路１０３ｂの流路の左右幅Ｄ２よりも短く形成されている。
このように構成された本実施形態においては、突起部１１０は、左右方向の中央領域Ｃに形成されているために、突起部１１０の両サイドＳは従来通り排水が流れ、排出性能を維持しつつ、上流側の洗浄水を下流側に引き込もうとする負圧を効果的に抑制することができる。
【符号の説明】
【００６５】
１  水洗大便器
２  便器本体
４  給水装置
５  貯水タンク
６  ジェットポンプユニット
８  ボウル部
１００  排水ソケット
１０２  便器本体側接続管部材
１０３  便器本体側接続管本体
１０３ａ  入口部
１０３ｂ  下降管路
１０３ｃ  屈曲管路
１０３ｄ  水平管路
１０３ｅ  下降管路の内面
１０３ｆ  水平管路の流入口
１０３ｇ  屈曲管路の外周側の内面
１０５  管路延長用連結管
１１０  突起部
１１０ａ  突起部の表面
１１０ｂ  突起部の裏面
【図１】
2016065412.tif 000003
【図３】
2016065412.tif 000004
【図４】
2016065412.tif 000005
【図５】
2016065412.tif 000006
【図６】
2016065412.tif 000007
【図８】
2016065412.tif 000008
【図９】
2016065412.tif 000009
【図１１】
2016065412.tif 000010
【図１２】
2016065412.tif 000011
【図２】
2016065412.tif 000012
【図７】
2016065412.tif 000013
【図１０】
2016065412.tif 000014
【図１３】
2016065412.tif 000015